(57)【特許請求の範囲】
【請求項１】
表示部と、
画像形成された用紙の枚数をカウントする枚数カウンタと、
該枚数カウンタが所定のカウント値であるＴ１に達したことに応じて該表示部にメンテナンスを行う旨を表示させるメンテナンス表示指示手段と加熱ローラと加圧ローラとを有し、未定着のトナー像が形成された用紙を挟持搬送して該トナー像を用紙に溶融定着する定着部とを有する画像形成装置であって、
該定着部は、
該加熱ローラ表面に当接しオイルを含浸させたウェブと、該ウェブを巻回した巻回ローラと、該巻回ローラに巻回されたウェブを巻き取る巻取ローラと、該巻取ローラを回転させるための駆動源と、該ウェブの巻き取り回数をカウントするウェブ巻取カウンタと、該枚数カウンタのカウント値が所定の値の倍数に達したことに応じて該駆動源を所定量駆動させて巻取ロ―ラによりウェブを巻き取る巻取制御手段と、該ウェブの巻き取り回数が所定のカウント値であるＴ３に達したことに応じて該表示部にウェブを交換する旨を表示させるウェブ交換表示指示手段とからなるウェブクリーニング装置を備えており、メンテナンス表示指示手段が作動した後、枚数カウンタのカウント値をリセットしたにもかかわらず、ウェブ巻取カウンタのカウント値をリセットしなかった場合、ウェブ交換表示指示手段を作動させるようにしたことを特徴とする画像形成装置。
【請求項２】
前記ウェブ交換表示指示手段の作動によって前記表示部に表示されたウェブを交換する旨の表示は、前記ウェブ巻取カウンタのカウント値のリセットによって消去されることを特徴とする請求項１に記載の画像形成装置。
【請求項３】
前記画像形成装置は、さらに前記ウェブ巻取カウンタが所定のカウント値であるＴ４に達したことに応じて該画像形成装置の作動を停止させる機械ロック指示手段を備えており、前記Ｔ３とＴ４が以下の関係式から成り立つことを特徴とする請求項１又は２に記載の画像形成装置。
関係式：Ｔ３＜Ｔ４
【発明の詳細な説明】
【０００１】
【発明の属する技術分野】
本発明は、複写機、ファクシミリ、プリンタ等の画像形成装置に関するものであり、特に加熱ローラ表面にオイルを含浸させたウェブを備えた画像形成装置に関するものである。
【０００２】
【従来の技術】
複写機等の画像形成装置では、未定着のトナー像が形成された用紙を加熱ローラと加圧ローラとからなる定着ローラ対に挟持搬送させることで、該トナー像を用紙上に溶融定着させる所謂加熱定着方式を採用した商品が非常に多い。この加熱定着方式における定着装置では、加熱ローラの残留トナーの清掃とオフセット防止用にオイルを含浸させたウェブを該加熱ローラ表面に当接させているウェブクリーニング装置が装着されているものが広く知られている。該ウェブクリーニング装置は、ウェブと該ウェブを巻回した巻回ローラと該巻回ローラに巻回されたウェブを巻き取る巻取ローラ等によって主に構成されている。例えば、複写機の場合ではコピーを重ねる毎に該ウェブの加熱ローラ表面に当接する個所が汚れてくるので、数十枚コピーする毎に巻取ローラを所定量回転させて使用済みウェブを巻き取り、新しいウェブを加熱ローラ表面に当接させるようにしている。
【０００３】
ところで、複写機によっては、複写機のメンテナンスの時期をユーザーに知らせるために、コピーされた用紙の枚数をカウントする枚数カウンタを設け，該枚数カウンタが所定のカウント値に達したことに応じてメンテナンスの時期であることを表示部に表示させるようにしたものがある。前述した巻き取りローラの巻き取りタイミングは、この枚数カウンタを利用して行うようにしており（例えば該枚数カウンタのカウント値が３０に達すると巻取ローラを回転させてウェブを巻き取る）、これによって、ウェブの加熱ローラ表面へ当接する個所は汚れによって影響をきたす前に新しいウェブへと置き換わるようになっている。
【０００４】
このような構成のウェブクリーニング装置では、ウェブが巻取ローラによって全て巻き取られる前に新しいウェブと交換しなければならないので、ウェブの交換時期をユーザーに伝える必要がある。このため、該ウェブクリーニング装置には、巻き取りローラによるウェブの巻き取り回数をカウントするウェブ巻取カウンタを設け、該ウェブ巻取カウンタが所定のカウント値に達したことに応じて、表示部にウェブ交換を行う旨の表示を行うようにしていた。
【０００５】
【発明が解決しようとする課題】
ところが、ウェブを新品のものに交換した際には、前記ウェブ巻取カウンタをリセットする必要がある。機種によっては、上記メンテナンスの時期とウェブ交換の時期がほぼ同じに設定されているものが多い。これは、サービスマンがメンテナンス等でユーザーのところへ行く回数を減らすためである。このような場合には複写機のメンテナンスに加えてウェブ交換も行い、作業が終了した後には、枚数カウンタとウェブ巻取カウンタの２つのカウンタをリセットする必要があった。
【０００６】
しかしながら、サービスマンは様々な機種を取り扱っているため，ほぼ全ての機種の対象となるメンテナンス作業終了後の枚数カウンタリセットは忘れることなく行う傾向にあるが、ウェブ交換終了後のウェブ巻取カウンタのリセットは、対象とならない機種も多く存在するため、忘れてしまう傾向にある。
【０００７】
このように、枚数カウンタはリセットしても、ウェブ巻取カウンタのリセットを忘れてしまうと、ウェブ巻取カウンタのカウント値はそのままであるため、ウェブを交換した直後（例えば、数十枚あるいは数百枚コピーした後）にウェブ交換のメッセージが表示部に表示されてしまうといった不具合が発生する可能性があった。
【０００８】
本発明は、上記課題に鑑みてなされたものであり、その目的は、メンテナンス終了後に、ウェブ交換を同時に行った場合にはウェブ巻取カウンタのリセットを確実に行わせ、ウェブ交換を行っていない場合には確実にウェブ交換を行わせることができる画像形成装置を提供するものである。
【０００９】
【課題を解決するための手段】
上記目的を達成するため、請求項１に記載の発明は、表示部と、画像形成された用紙の枚数をカウントする枚数カウンタと、該枚数カウンタが所定のカウント値であるＴ１に達したことに応じて該表示部にメンテナンスを行う旨を表示させるメンテナンス表示指示手段と加熱ローラと加圧ローラとを有し、未定着のトナー像が形成された用紙を挟持搬送して該トナー像を用紙に溶融定着する定着部とを有する画像形成装置であって、該定着部は、該加熱ローラ表面に当接しオイルを含浸させたウェブと、該ウェブを巻回した巻回ローラと、該巻回ローラに巻回されたウェブを巻き取る巻取ローラと、該巻取ローラを回転させるための駆動源と、該ウェブの巻き取り回数をカウントするウェブ巻取カウンタと、該枚数カウンタのカウント値が所定の値の倍数に達したことに応じて該駆動源を所定量駆動させて巻取ロ―ラによりウェブを巻き取る巻取制御手段と、該ウェブの巻き取り回数が所定のカウント値であるＴ３に達したことに応じて該表示部にウェブを交換する旨を表示させるウェブ交換表示指示手段とからなるウェブクリーニング装置を備えており、メンテナンス表示指示手段が作動した後、枚数カウンタのカウント値をリセットしたにもかかわらず、ウェブ巻取カウンタのカウント値をリセットしなかった場合、ウェブ交換表示指示手段を作動させるようにしたことを特徴とする画像形成装置である。
【００１０】
この発明によれば、表示部にメンテナンスを行う旨が表示され、サービスマンによってメンテナンス及びウェブの交換が行われた後、枚数カウンタのカウント値をリセットしたにもかかわらず、ウェブ巻取カウンタのカウント値をリセットしなかった場合には、ウェブ交換表示指示手段が作動して、表示部にウェブを交換する旨が表示されるので、サービスマンはその異変に気づく。即ち、ウェブを交換したにもかかわらず表示部にこのような表示がなされるので、サービスマンはウェブ巻取カウンタのカウント値のリセットに気づくこととなる。
【００１１】
さらに、表示部にメンテナンスを行う旨が表示され、サービスマンによってメンテナンスは行われたが、ウェブを交換しなかった場合には、表示部にウェブを交換する旨が表示されるので、確実にウェブを交換することとなる。
【００１２】
また、請求項２に記載の発明は、前記ウェブ交換表示指示手段の作動によって前記表示部に表示されたウェブを交換する旨の表示は、前記ウェブ巻取カウンタのカウント値のリセットによって消去されることを特徴とする請求項１に記載の画像形成装置である。
【００１３】
この発明によれば、ウェブを交換する旨の表示は、ウェブ巻取カウンタのカウント値のリセットによって消去されるので、より確実にウェブ巻取カウンタのカウント値のリセットが行われることとなる。
【００１４】
また、請求項３に記載の発明は、前記画像形成装置は、さらに前記ウェブ巻取カウンタが所定のカウント値であるＴ４に達したことに応じて該画像形成装置の作動を停止させる機械ロック指示手段を備えており、前記Ｔ３とＴ４が以下の関係式から成り立つことを特徴とする請求項１又は２に記載の画像形成装置である。
関係式：Ｔ３＜Ｔ４
【００１５】
この発明によれば、メンテナンス表示指示手段が作動しメンテナンスを行う旨が表示されたりあるいはウェブ交換表示指示手段が作動してウェブを交換する旨が表示されているにもかかわらず、ユーザーがサービスマンに連絡せず、そのまま画像形成動作を継続して行ったとしても、ウェブ巻取カウンタのカウント値がＴ３よりも大きいＴ４に達したことに応じて画像形成装置の作動を停止させる機械ロック指示手段が作動するので、それ以降は画像形成動作ができず、したがってウェブの巻き取りが行われない。よって、ウェブクリーニング装置が破損することはない。
【００１６】
【発明の実施の形態】
以下に、本発明の具体的な実施形態について図面を参照しながら説明する。図１は本発明の一実施形態である複写機の概略断面図、図２は定着部を示す模式的断面図、図３はフローチャートである。
【００１７】
以下に示す実施形態は、画像形成装置のうち複写機の例について示したものである。まず、図１を参照して、この複写機は、複写機本体１の下部に配設された給紙部１００と、この給紙部１００の側方及び上方に配設された用紙搬送部２００と、この用紙搬送部２００の上方に配設された画像形成部３００と、この画像形成部３００よりも排出側に配設された定着部４００と、これらの画像形成部３００および定着部４００の上方に配設された光学系部材などからなる画像読取部５００を備えている。
【００１８】
給紙部１００は、４つの給紙カセット１１１のうちの選択された給紙カセット１１１から、円弧外周部を有する給紙ローラ１１２の回転動作によって給紙カセット１１１の出口側（図１の右側）に用紙１１５を送り出すとともに、給紙カセット１１１の幅方向両端上部にそれぞれ設けられたさばき部１１６によってさばくことにより、最上位置の用紙１１５を１枚ずつ確実に用紙搬送部２００に給紙するようになっている。また、これら４つの給紙カセット１１１は複写機本体１に対し、引き出し自在に構成されている。
【００１９】
用紙搬送部２００は、給紙部１００から給紙された用紙１１５を、搬送ローラ対２０２およびレジストローラ対２０３によって画像形成部３００に向けて搬送し、さらに画像形成部３００から定着部４００において画像形成がなされた用紙１１５を排出ローラ対２０５によって排出トレイ２０４上に排出するようになっている。また、排出ローラ対２０５の搬送方向上流側であって後述する定着部４００の搬送方向下流側には排出スイッチＳＷが設けられている。該排出スイッチＳＷは用紙搬送部２００内での紙詰まりを検出するためのものであり、また複写機本体１でコピーされたコピー枚数をカウントするためのものでもある。該排出スイッチＳＷによるコピー枚数のカウントに関しては後述する。
【００２０】
画像形成部３００は、電子写真プロセスによって、用紙１１５に所定のトナー像を形成するものであり、回転可能に軸支された光導電性を有する感光体ドラム３０１と、この感光体ドラム３０１の周囲にその回転方向に沿って、帯電ユニット３０２、露光ユニット３０３、現像ユニット３０４、転写ユニット３０５、クリーナー３０６および除電ユニット３０７を備えている。
【００２１】
帯電ユニット３０２は、高電圧が印加される帯電ワイヤを備え、この帯電ワイヤからのコロナ放電によって感光体ドラム３０１の表面に所定電位を与えるものである。露光ユニット３０３は、後述する画像読取部５００によって読み取られた原稿の画像データに基づいてレーザ発光器から出力されるレーザ光を、ポリゴンミラーおよび反射鏡を介して感光体ドラム３０１に照射することにより、感光体ドラム３０１表面の電位を選択的に減衰させて、この感光体ドラム３０１の表面に静電潜像を形成するものである。現像ユニット３０４は、上記静電潜像をトナーにより現像して、感光体ドラム３０１の表面にトナー像を形成するものである。転写ユニット３０５は、感光体ドラム３０１の表面のトナー像を用紙１１５に転写するものである。この複写機においては、転写ユニット３０５は、感光体ドラム３０１から所定距離だけ離間した転写ローラによって構成されている。クリーナー３０６は、転写後の感光体ドラム３０１の表面に残留しているトナーを除去するものである。除電ユニット３０７は、感光体ドラム３０１の表面の残留電荷を除去するものである。
【００２２】
定着部４００は、この画像形成部３００の用紙搬送方向の下流側に配置され、画像形成部３００においてトナー像が転写された用紙１１５を、加熱ローラ４０１およびこの加熱ローラ４０１に押し付けられる加圧ローラ４０２によって挟んで加熱し、用紙１１５上にトナー像を定着させるものである。該定着部４００には、加熱ローラ４０１表面に付着した残留トナーの清掃と、オフセット防止の目的で、ウェブクリーニング装置６００が設けられている（図１では図示せず）。尚、該ウェブクリーニング装置６００については後述する。
【００２３】
画像読取部５００は、コンタクトガラス５０１上に載置された原稿に、露光ランプから光を照射し、その反射光を反射鏡を介してＣＣＤラインセンサ等からなる光電変換部に導くことにより、原稿の画像情報を読み取るものである。なお、露光ランプおよび反射鏡は走査動作部を形成しており、この走査動作部が、所定の速度で図１の左右方向に移動領域５０８を移動動作することにより、コンタクトガラス５０１上に載置された原稿の全面を走査し、原稿全面の画像を読み取ることができる様になっている。
【００２４】
次に、図２を参照してウェブクリーニング装置６００の具体的構成について説明する。加熱ローラ４０１には２本のヒータ４１０、４１１が内蔵されており、矢印Ａ方向に回転する。また、加熱ローラ４０１の表面にはオイルを含浸させたウェブ６０１が当接するようにウェブクリーニング装置６００が加圧ローラ４０２と反対側に配置されている。ウェブ６０１は不識布、紙、あるいは布等を材料として構成された薄いウェブ状のシートであり、該ウェブ６０１にはシリコンオイルを含浸させることが好ましい。
【００２５】
ウェブクリーニング装置６００は、ウェブ６０１を巻回した巻回ローラ６１０と、巻回ローラ６１０に巻回されたウェブ６０１を巻き取る巻取ローラ６３０と、巻回ローラ６１０と巻取ローラ６３０との間に架け渡されたウェブ６０１を加熱ローラ４０１の表面に押圧する押圧ローラ６２０とで主に構成されている。該巻回ローラ６１０、押圧ローラ６２０、巻取ローラ６３０は図示しないウェブクリーニング装置６００の側板等に軸支されている。尚、巻回ローラ６１０及び巻取ローラ６３０は、例えばアルミ等の芯金のみで構成されており、該芯金にウェブ６０１を巻きつけるようになっている。また、押圧ローラ６２０は例えばシリコンスポンジで構成されている。また、該巻取ローラ６３０の一端部には該巻取ローラ６３０と一体的に回転するギア部６３１が設けられている。該ギア部６３１は、アイドルギア６４１を介して駆動ギア６５１にギア連結されている。該駆動ギア６５１にはソレノイド（駆動源）６６０のプランジャー６６１の自由端がピン６６２によって取り付けられている。また、駆動ギア６５１には該駆動ギア６５１を矢印Ｅ方向にのみ許容するワンウェイクラッチ６５２が内蔵されている。したがって、該ソレノイド６６０が作動し、プランジャー６６１が矢印Ｆ方向に移動すると、駆動ギア６５１は矢印Ｅ方向に回転しアイドルギア６４１を介して巻取ローラ６３０が矢印Ｂ方向に回転する。これによってウェブ６０１は矢印Ｃ方向に移動する。このように、ウェブ６０１の移動方向（矢印Ｃ方向）と加熱ローラ４０１の回転方向（矢印Ａ方向）とをそれぞれ逆方向にすることでクリーニング性能を向上させている。
【００２６】
上記のような構成によるウェブクリーニング装置６００を備えた複写機本体１は、コピーされた（画像形成された）用紙１１５の枚数をカウントする枚数カウンタ８００を備えている。該枚数カウンタ８００は、前述した排出スイッチＳＷを通過した用紙１１５の検出によってカウントするようになっている。該枚数カウンタ８００のカウント値が所定の値であるＴ２の倍数に達したことに応じて前記ソレノイド６６０を所定量駆動させて巻取ローラ６３１によりウェブ６０１を巻き取る巻取制御手段７１０が作動するようになっている。本実施形態ではＴ２＝３０枚で該巻取制御手段７１０が作動するようになっているが、Ｔ２の値は適宜選択可能である。また、巻取ローラ６３０によるウェブ６０１の１回あたりの巻取量は数ミリ程度でよいがこの巻取量も適宜選択できる。
【００２７】
また、複写機本体１は、上記枚数カウンタ８００は所定のカウント値であるＴ１に達したことに応じて表示部９００にメンテナンスを行う旨を表示させるメンテナンス表示指示手段８１０を備えている。該メンテナンス表示指示手段８１０は、該枚数カウンタ８００がＴ１に達したことに応じて作動するが、本実施形態ではＴ１＝５０００００枚に設定されている。尚，Ｔ１の値は、機種によってメンテナンスの寿命であるコピー枚数に設定すればよく、この値は適宜選択が可能である。該メンテナンス表示指示手段８１０が作動し、表示部９００にメンテナンスを行う旨が表示されると、ユーザーはサービスマンへ連絡し、サービスマンは適宜所望の部品等を交換したり、メンテナンスを行うこととなる。該メンテナンスが終了すれば、サービスマンは枚数カウンタ８００をリセットし、該枚数カウンタ８００は、再びコピーされた用紙１１５の枚数をカウントすることとなる。
【００２８】
上記巻取制御手段７１０が作動して、巻取ローラ６３０によるウェブの巻き取りが行われると、該巻き取りの回数をカウントするウェブ巻取カウンタ７２０がカウントを行う。該ウェブ巻取カウンタ７２０はウェブクリーニング装置６００に備えられており、駆動源であるソレノイド６６０と電気的に接続されている。即ち、ソレノイド６６０が作動する毎に、該ウェブ巻取カウンタ７２０はカウントを行うこととなる。
【００２９】
ウェブクリーニング装置６００は、該ウェブ巻取カウンタ７２０が所定のカウント値であるＴ３に達したことに応じて該表示部９００にウェブ６０１を交換する旨を表示させるウェブ交換表示指示手段７３０をも備えている。本実施形態では、Ｔ３＝１７０００に設定されている。即ち、巻取制御手段７１０は、複写機本体１によってコピーされた用紙１１５の枚数が３０枚に１回作動するので、該ウェブ交換表示指示手段７３０は３０×１７０００＝５１００００枚で作動することとなる。これは、巻取ローラ６３０によってウェブ６０１がほぼ巻き取られ、ウェブの交換を行う必要があると予測したコピー枚数に設定されている。尚，上記Ｔ３はウェブ６０１の交換が必要であると予測される値に設定しているもので，機種によってこの値は適宜選択可能である。
【００３０】
さらに、複写機本体１は、巻取ローラ６３０によるウェブ６０１の巻き取りがほぼ完了し、巻き取られるべきウェブ６０１が巻回ローラ６１０にはなく、これ以上巻き取りローラ６３０によってウェブ６０１を巻き取るとウェブクリーニング装置６００に支障をきたすと予測されるコピー枚数に達したときには、複写機本体１の作動を禁止してコピーができないようにしている。このような動作も、ウェブ巻き取りカウンタ７２０のカウント値に基づいて行われる。即ち、複写機本体１には、該ウェブ巻取カウンタ７２０が所定のカウント値であるＴ４に達したことに応じて複写機本体１の作動を停止させる機械ロック指示手段（図示せず）をも備えている。本実施形態では、Ｔ４＝１８０００に設定されている。即ち，該機械ロック指示手段は、複写機本体１によってコピーされた用紙の枚数が３０×１８０００＝５４００００枚で作動することとなる。
【００３１】
続いて、図３を参照し、本実施形態におけるフローチャートについて説明する。まず、複写機本体１によってコピーがされると（Ｓ１）、排出スイッチＳＷによって用紙１１５が検出され、枚数カウンタ８００のカウント値がカウントされる（Ｓ２）。次に、枚数カウンタ８００によるカウント値が所定のカウント値である５０００００（Ｔ１）に達したかどうかが判定される（Ｓ３）。達していなければ（Ｎが５０００００よりも小さければ）Ｓ４へと進み、達していれば（Ｎが５０００００よりも大きければ）Ｓ１３へと進む。Ｓ４では、複写機本体１でコピーされた用紙１１５の枚数が３０枚毎にウェブ６０１を所定量巻き取るために、枚数カウンタ８００のカウント値が３０の倍数であるか否かが判定される。３０の倍数でない場合にはＳ１へ戻り、３０の倍数である場合には、巻取制御手段７１０を作動させる（Ｓ５）。この巻取制御手段７４０の作動により、ソレノイド６６０が駆動（プランジャー６６１が図２の矢印Ｆ方向に移動）し、駆動ギア６５１、アイドルギア６４１を介して巻取ローラ６３０が図２の矢印Ｂ方向に所定量回転し、ウェブ６０１が巻き取られ、新しいウェブ６０１が加熱ローラ４０１の表面に当接することとなる。その後，該プランジャー６６１は図２の矢印Ｆ方向と反対の方向に移動して元の待機状態に戻ることとなるが、駆動ギア６５１にはワンウェイクラッチ６５２が内蔵されているので、駆動ギア６６１は図２の矢印Ｅ方向と反対方向に回転することはない。このため、巻取ローラ６３１も図２の矢印Ｂ方向と反対方向に回転することがないので、巻取ローラ６３０による安定したウェブ６０１の巻き取りが可能である。
【００３２】
上記巻取制御手段７１０が作動すると、ウェブ巻取カウンタ７２０のカウント値がカウントされる（Ｓ６）。次に、ウェブ巻取カウンタ７２０によるカウント値が所定のカウント値である１７０００（Ｔ３）に達したかどうかが判定される（Ｓ７）。達していなければ（Ｍが１７０００よりも小さければ）Ｓ１へと戻り、達していれば（Ｍが１７０００より大きければ）Ｓ８へと進む。Ｓ８では、ウェブ巻取カウンタ７２０のによるカウント値が所定のカウント値である１８０００（Ｔ４）に達しているか否かが判定される。達していなければ（Ｍが１８０００よりも小さければ）Ｓ９へと進み、達していれば（Ｍが１８０００より大きければ）Ｓ１５へと進む。
【００３３】
Ｓ９では、即ち，ウェブ巻取カウンタ７２０のカウント値が１７０００より大きく１８０００よりも小さい場合、ウェブ交換表示指示手段７３０が作動し、表示部９００へウェブ６０１を交換する旨を表示する。このような表示が表示部９００で表示されると、ユーザーはサービスマンへ連絡を行い、サービスマンはウェブ６０１を新しいものと交換する（Ｓ１０）。ウェブ６０１が交換されたか否かにかかわらず、Ｓ１１へと進む。
【００３４】
一方，Ｓ３でＮＯの場合、即ち、枚数カウンタ８００によるカウント値が所定のカウント値である５０００００（Ｔ１）に達している場合、メンテナンス表示指示手段が作動し（Ｓ１３）、表示部９００にメンテナンスを行う旨が表示される。このような表示が表示部９００で表示されると、ユーザーはサービスマンへ連絡を行い、サービスマンは部品の交換やメンテナンスを行うこととなる（Ｓ１４）。このような表示が表示部に表示されても、ユーザーはサービスマンへの連絡を行わずメンテナンスがされなかった場合には、Ｓ４へと進み、複写機本体１によるコピーが継続されておこなわれることとなる。しかしながら、Ｓ８においてウェブ巻取カウンタ７２０のカウント値が１８０００を超えると（複写機本体１によりコピーされた用紙の枚数が１８０００×３０＝５４００００枚を超えると）、複写機本体１の作動を停止させる機械ロック指示手段が作動し（Ｓ１５）、複写機本体１はコピーすることができない状態となる。その後、Ｓ１４へ戻ることとなる。
【００３５】
Ｓ１４で、サービスマンによるメンテナンスが実施されると（Ｓ１４でＹＥＳの場合）Ｓ１０へ進むこととなる。ここで、メンテナンス表示指示手段８１０が作動するのは、枚数カウンタ８００のカウント値が５０００００枚で作動し、このときのウェブ巻取カウンタ７２０のカウント値は１６６６６（５０００００÷３０）であるが、まもなく所定のカウント値であるＴ３に達するので、サービスマンはウェブ６０１の交換も行うこととなる。したがって、Ｓ１０でウェブ６０１の交換が行われたか否かにかかわらず、Ｓ１１へ進むこととなる。
【００３６】
Ｓ１１では、枚数カウンタ８００がリセットされたか否かが判定される。リセットされていない場合（Ｓ１１でＮＯの場合）、Ｓ１３へ戻り、メンテナンス表示指示手段８１０を作動させてメンテナンスを行う旨を表示部９００に表示させる。枚数カウンタ８００がリセットされれば（Ｓ１１でＹＥＳの場合）、Ｓ１２へ進むこととなる。
【００３７】
Ｓ１２では、ウェブ巻取カウンタ７２０がリセットされたか否かが判定される。ウェブ巻取カウンタ７２０がリセットされれば問題ないが、リセットをし忘れた場合（Ｓ１２でＮＯの場合）、Ｓ９へ戻ってウェブ交換表示指示手段７３０を作動させる。このように、ウェブ巻取カウンタ７２０をリセットし忘れたとしても、ウェブ交換表示指示手段７３０を作動させて、表示部９００にウェブ６０１を交換する旨を表示させるようにしているので、サービスマンはウェブ６０１の交換を行っていない場合にはウェブ６０１の交換をしなければならないことに気づく。また、ウェブ６０１の交換を行っている場合には、交換を行ったにもかかわらずこのような表示が出るので異変に気づく。この表示を表示部９００から消すにはウェブ巻取カウンタカウンタ７２０をリセットするしかないので、サービスマンは必ずウェブ巻取カウンタ７２０をリセットすることとなる。これによって、ウェブ６０１の交換が確実になるとともに、ウェブ６０１を交換した直後（数十枚あるいは数百枚のコピー）に、ウェブ６０１の交換を行う旨の表示が表示部９００に表示されることはなく、適正にコピーを行えることとなる。
【００３８】
上記実施形態では、駆動源としてソレノイドを用いたが本発明はこれに限定されるものではなくモータ等駆動源として持ち入れるものであれば何であってもかまわない。また、駆動源からギアを介して巻取ローラを回転させるようにしたが、直接巻取ローラを回転させるようにしてもかまわない。
【００３９】
また、上記実施形態におけるフローチャートではＳ１２のウェブ巻取カウンタのカウント値をリセットしなかった場合（Ｓ１２でＮＯの場合）、Ｓ９へ戻りウェブ交換表示指示手段を作動させるようにしたが、ウェブ巻取カウンタのカウント値を所定のカウント値であるＴ３とした後、Ｓ７へ戻した後、Ｓ９においてウェブ交換表示指示手段を作動させるようにしてもかまわない。
【００４０】
また、上記実施形態は複写機の例について説明したが、本発明はファクシミリやプリンター等の画像形成装置全般に適用が可能である。
【００４１】
【発明の効果】
この発明によれば、表示部にメンテナンスを行う旨が表示され、サービスマンによってメンテナンス及びウェブの交換が行われた後、枚数カウンタのカウント値をリセットしたにもかかわらず、ウェブ巻取カウンタのカウント値をリセットしなかった場合には、ウェブ交換表示指示手段が作動して、表示部にウェブを交換する旨が表示されるので、サービスマンはその異変に気づく。即ち、ウェブを交換したにもかかわらず表示部にこのような表示がなされるので、サービスマンはウェブ巻取カウンタのカウント値のリセットに気づくこととなる。
【００４２】
さらに、表示部にメンテナンスを行う旨が表示され、サービスマンによってメンテナンスは行われたが、ウェブを交換しなかった場合には、表示部にウェブを交換する旨が表示されるので、確実にウェブを交換することとなる。
【００４３】
【図面の簡単な説明】
【図１】    本発明の一実施形態である複写機の概略断面図。
【図２】    定着部を示す模式的断面図。
【図３】    フローチャート。
【符号の説明】
１      複写機本体
４００  定着部
４０１  加熱ローラ
４０２  加圧ローラ
６００  ウェブクリーニング装置
６０１  ウェブ
６１０  巻回ローラ
６２０  押圧ローラ
６３０  巻取ローラ
６３１  ギア部
６４１  アイドルギア
６５１  駆動ギア
６６０  ソレノイド（駆動源）
７１０  巻取制御手段
７２０  ウェブ巻取カウンタ
７３０  ウェブ交換表示指示手段
８００  枚数カウンタ
８１０  メンテナンス表示指示手段
９００  表示部
ＳＷ    排出スイッチ
【図１】
0003668182.tif 000002
【図２】
0003668182.tif 000003
【図３】
0003668182.tif 000004